(57)【要約】【課題】納骨堂を湿度の少ない環境に維持しつつ、骨壺の納骨堂への収容および取り出しを簡単に行える墓を提供すること。また、加えて、墓参りにきた者が納骨堂内の骨壷を見ながら直接骨壷内のお骨（魂）に供養の言葉等を語りかけることができる墓を提供すること。また、加えて、納骨堂を湿度の少ない環境に一段と確実に維持できる墓を提供すること。【解決手段】前側壁１３全体を骨壷Ｃの出入口として開閉可能に形成し、納骨堂１０内に骨壷Ｃを支持可能な納台２１を設け、この納台２１を地面露出部Ｓ１よりも上方に配置しかつ前後方向に移動して前側壁１３に接近・離隔可能に構成する。蓋体１７を軽量で着脱可能に形成する。納骨堂１０の左右側壁（１１，１２）に換気口（２８Ｌ，２８Ｒ）を設ける。【選択図】        図１
2004324315.tif 000002
【特許請求の範囲】
【請求項１】
納骨堂が地上に設置されており、当該納骨堂が左右側壁および前後側壁を有するとともに上部開口部が墓標の下石と当該下石の前方の蓋体によって覆われかつ底面部に骨壷中のお骨を埋めるための地面露出部が形成された墓において、
前記前側壁全体が、骨壷の出入口として開閉可能に形成され、前記納骨堂内に骨壷を支持可能な納台を設け、この納台が前記地面露出部よりも上方に配置されかつ前後方向に移動して前記前側壁に接近・離隔可能に構成されたことを特徴とする墓。
【請求項２】
前記前側壁が、下端部を中心として前側へ回動して開放可能かつ上端部を係止部材で係止されて起立状態を維持可能な前倒れ扉方式とされた請求項１記載の墓。
【請求項３】
前記前側壁が、左右の案内ガイドによって支持・案内されて前記納骨堂上部の水平収容部へ収容可能かつ当該水平収容部から引き出して閉鎖位置に位置決め保持可能なスライド扉方式とされた請求項１記載の墓。
【請求項４】
前記蓋体が軽量で着脱可能とされた請求項１，２又は３記載の墓。
【請求項５】
前記左右側壁に換気口を設けた請求項１から４までのいずれか１項に記載の墓。
【請求項６】
前記蓋体に換気口を設けるとともに、当該蓋体を覆って当該換気口に雨水が入るのを阻止する被覆体を設けた請求項１から５までのいずれか１項に記載の墓。
【請求項７】
前記被覆体が開閉可能な前側壁を有し、当該前側壁が左右の案内ガイドによって支持・案内されて当該被覆体内空間上部の水平収容部へ収容可能かつ当該水平収容部から引き出して閉鎖位置に位置決め保持可能なスライド扉方式とされた請求項６記載の墓。
【請求項８】
前記被覆体が香炉を兼ねる請求項６又は７記載の墓。
【発明の詳細な説明】
【０００１】
【発明の属する技術分野】
本発明は、納骨堂が地上に設置された墓に関する。
【０００２】
【従来の技術】
従来、骨壺を収める納骨堂（納骨室ともいう）は地下に設けられるのが一般的である（特許文献１，２，３参照）。通常、納骨堂は、地下の左右側壁および前後側壁を有するとともに上部開口部が墓標の下石と当該下石の前方の蓋体によって覆われている。下石や当該下石に支持された墓標そして蓋体は、地上に配設されている。なお、納骨堂の床面には、骨壷中のお骨を埋めるための地面露出部が形成されているのが一般的である。
【０００３】
通常、蓋体は、石製またはコンクート製とされており、部厚い板状に形成されている。骨壺を納骨堂に収める場合には、蓋体を取外して生じた開口部分から骨壷を落とさないように慎重に下方へ降ろして、納骨堂の床面に載置される。
【０００４】
ところで、納骨堂が地下にある墓では、納骨堂に雨水が浸入して溜まりやすい。そのため、納骨堂内がいつもじめじめして、カビが発生したり、虫が発生してしまう原因となる。特に、骨壺の中にも水が浸入して溜まりカビ等が繁殖するような事態が起こると、遺族等にとっては死者の魂が汚されたようにも感じられ、心情的に遣り切れない思いになる。
【０００５】
そこで、最近、納骨堂の設置場所を雨水が浸入しやすい地下から地上とした墓が提案されている（特許文献４参照）。
【０００６】
この特許文献４に記載された墓の納骨堂は、地上に設置されていることを除けば、上記した特許文献１等の墓の納骨堂と同様構成であるが、側壁に換気口を設け、納骨堂内が湿度の少ない環境に維持されるような工夫が施されている。なお、納骨堂に骨壺を収める方法は、特許文献１等の墓の場合と同様である。すなわち、部厚い板状の蓋体を取外して生じた開口部分から骨壷を落とさないように慎重に下方へ降ろして、納骨堂の床面に載置することとなる。
【特許文献１】
特許第２９１７００６号
【特許文献２】
特開平１０−１８６４９号公報
【特許文献３】
特開平１０−１８６４９号公報
【特許文献４】
特開２００２−１０６２０９号公報
【０００７】
【発明が解決しようとする課題】
ところで、上記した特許文献４に記載された墓では、納骨堂が湿度の少ない環境に維持されるものの、骨壷の納骨堂への収容や骨を土へ帰した後の骨壺の取り出しが面倒である欠点を有する。すなわち、骨壷の収容・取り出しにあたっては、重い蓋体を取り除いて骨壷通過用の開口部分を確保する必要があるが、大人の男性でも一人では蓋体を持ち上げることは無理で、最低二人必要である。また、複数の男性が蓋体を持ち上げる際、皆の気持があっていないと蓋体を不用意に落としてしまい、大怪我をすることもある。さらに、骨壷を納骨堂内の納台（棚板ともいう）に載置する場合、蓋体を取り除いてできた開口部分から骨壺を狭い納骨堂内に入れ手探りで納台上に置くのは大変手間が掛かる。
【０００８】
また、墓参りにきた遺族等が、墓前に花を供え墓標に向かって手を合わせる他に、家族の近況を報告したり、生前と同じような口調で話しかけたりすることがある。かかる場合に、納骨堂内の骨壷を見ながら直接骨壺内のお骨（魂）に供養の言葉等を語りかけることができれば、墓参りにきた意義が一層深まることになると思われる。
【０００９】
本発明の目的は、納骨堂を湿度の少ない環境に維持しつつ、骨壺の納骨堂への収容および取り出しを簡単かつ安全に行える墓を提供することにある。また、加えて、墓参りにきた者が納骨堂内の骨壷を見ながら直接骨壺内のお骨（魂）に供養の言葉等を語りかけることができる墓を提供することを第２の目的とする。また、加えて、納骨堂を湿度の少ない環境に一段と確実に維持できる墓を提供することを第３の目的とする。
【００１０】
【課題を解決するための手段】
上記目的を達成するために、請求項１の発明は、納骨堂が地上に設置されており、当該納骨堂が左右側壁および前後側壁を有するとともに上部開口部が墓標の下石と当該下石の前方の蓋体によって覆われかつ底面部に骨壷中のお骨を埋めるための地面露出部が形成された墓において、前記前側壁全体が、骨壷の出入口として開閉可能に形成され、前記納骨堂内に骨壷を支持可能な納台を設け、この納台が前記地面露出部よりも上方に配置されかつ前後方向に移動して前記前側壁に接近・離隔可能に構成されたものである。
【００１１】
上記請求項１の発明の場合、納骨堂が地上に設置されているので雨水等が溜まりにくい。また、納骨堂を形成する前側壁全体が開閉できるので、骨壺を水平移動させて納骨堂へ収容できる。また、納骨堂内の骨壺を水平移動させて取り出せる。このように、骨壺を下ろしたり持ち上げたりすることなく納骨堂へ収容したり取り出したりできるので、骨壺の納骨堂への収容および取り出しを簡単かつ安全に行える。したがって、納骨堂を湿度の少ない環境に維持しつつ、骨壺の納骨堂への収容および取り出しを簡単かつ安全に行える。
【００１２】
請求項２の発明は、前記前側壁が、下端部を中心として前側へ回動して開放可能かつ上端部を係止部材で係止されて起立状態を維持可能な前倒れ扉方式とされたものである。
【００１３】
上記請求項２の発明の場合、前側壁が回動するだけの力を加えれば当該壁の開閉を行える。特に、前側壁を開放する場合には、当該壁の重量を利用してわずかな力で前倒しできる。したがって、納骨堂を湿度の少ない環境に維持しつつ、骨壺の納骨堂への収容および取り出しを一段と簡単かつ安全に行える。
【００１４】
請求項３の発明は、前記前側壁が、左右の案内ガイドによって支持・案内されて前記納骨堂上部の水平収容部へ収容可能かつ当該水平収容部から引き出して閉鎖位置に位置決め保持可能なスライド扉方式とされたものである。
【００１５】
上記請求項３の発明では、前側壁を水平収容部へ収容するまでおよび当該水平収容部から引き出して閉鎖位置に位置決め保持させるまでのいずれの場合も、当該壁は左右の案内ガイドによって支持されつつ案内される。そのため、小さな力で前側壁を動かして開閉できる。したがって、納骨堂を湿度の少ない環境に維持しつつ、骨壺の納骨堂への収容および取り出しを一段と簡単かつ安全に行える。
【００１６】
請求項４の発明は、前記蓋体が軽量で着脱可能とされたものである。
【００１７】
上記請求項４の発明では、蓋体が軽量であるので、墓参りにきた者が、蓋体を簡単に取り外し、納骨堂内の骨壺を見ながら直接骨壺内のお骨（魂）に供養の言葉等を語りかけることができる。したがって、請求項１，２又は３記載の発明の場合と同様な作用・効果を奏し得る他、墓参りにきた者が納骨堂内の骨壷を見ながら直接骨壺内のお骨（魂）に供養の言葉等を語りかけることができる。
【００１８】
請求項５の発明は、前記左右側壁に換気口を設けたものである。
【００１９】
上記請求項５の発明では、請求項１から４までのいずれか１項の発明の場合と同様な作用・効果を奏し得る他、納骨堂内を湿度の少ない環境に一段と確実に維持できる。
【００２０】
請求項６の発明は、前記蓋体に換気口を設けるとともに、当該蓋体を覆って当該換気口に雨水が入るのを阻止する被覆体を設けたものである。
【００２１】
上記請求項６の発明では、請求項１から５までのいずれか１項の発明の場合と同様な作用・効果を奏し得る他、納骨堂内を湿度の少ない環境に一層確実に維持できる。なお、蓋体は被覆体によって覆われているので、当該蓋体の換気口から雨水が入るようなことはなく、この点からも納骨堂内は湿度の少ない環境に保持される。
【００２２】
請求項７の発明は、前記被覆体が開閉可能な前側壁を有し、当該前側壁が左右の案内ガイドによって支持・案内されて当該被覆体内空間上部の水平収容部へ収容可能かつ当該水平収容部から引き出して閉鎖位置に位置決め保持可能なスライド扉方式とされたものである。
【００２３】
上記請求項７の発明では、前側壁を水平収容部へ収容するまでおよび当該水平収容部から引き出して閉鎖位置に位置決め保持させるまでのいずれの場合も、当該壁は左右の案内ガイドによって支持されつつ案内される。そのため、請求項６の発明の場合と同様な作用・効果を奏し得る他、小さな力で前側壁を動かして開閉できる。
【００２４】
請求項８の発明は、前記被覆体が香炉を兼ねるものである。
【００２５】
上記請求項８の発明では、請求項６又は７の発明の場合と同様な作用・効果を奏し得る他、小スペースでも格調の高い墓を提供できる。
【００２６】
【発明の実施の形態】
以下、本発明の実施形態を図面を参照して説明する。
【００２７】
本発明に係る墓１は、図１〜図４に示すように、納骨堂１０を形成する前側壁１３全体が骨壷Ｃの出入口として開閉可能に形成され、納骨堂１０内に骨壷Ｃを支持可能な納台２１を設け、この納台２１が地面露出部Ｓ１よりも上方に配置されかつ前後方向（図１中左右方向）に移動して前側壁１３に接近・離隔可能に構成されている。
【００２８】
詳しくは、納骨堂１０は、地面Ｓ上に設置されており、左右側壁（１１，１２）および前後側壁（１３，１４）を有している。各側壁（１１，１２，１３，１４）は、コンクリート製とされている。右側壁１２には、図３に示すように、第１の換気口２８Ｒが設けられており、左側壁１１には第２の換気口２８Ｌが設けられている。なお、各換気口（２８Ｒ，２８Ｌ）には、虫除け用の網が被せられている。そして、納骨堂１０の上部開口部１０Ｕは、図１に示すように、墓標（図示省略）の下石５と当該下石５の前方に蓋体支持部２７を介して配された蓋体１７によって覆われている。また、納骨堂１０の底面部には、骨壷Ｃ中のお骨を埋めるための地面露出部Ｓ１が設けられている。
【００２９】
また、左右側壁（１１，１２）の内面には、図３に示すように、それぞれ溝１９が水平方向に伸延するように形成されている。上記した納台２１は、その左右両端部が左右側壁（１１，１２）の溝１９に横方向（水平方向）に摺動自在に嵌挿されている。なお、納台２１の中央部には、スライド動作させやすいように、指引っ掛け部２２が形成されている。
【００３０】
上記した蓋体１７は軽量で着脱可能とされている。詳しくは、蓋体１７は石製で薄板形状とされている。この蓋体１７を取り除けば、納骨堂１０内の納台２１上に置かれた骨壺Ｃを外から見ることができる。
【００３１】
また、上記した前側壁１３は、下端部１３ｂを中心として前側へ回動して開放可能かつ上端部１３ａを係止部材２３で係止して起立状態（閉鎖状態）を維持可能な前倒れ扉方式とされている。この前側壁１３の前側面上部には、取っ手１６が装着されている。取っ手１６は、前側壁１３を図２中２点鎖線で示すように前倒しした場合に、拝石３と当接して当該壁１３の内面が納台２１の上面と同一水平レベルとなるように形成されている。
【００３２】
したがって、骨壷Ｃを納骨堂１０へ収容する場合には、前側壁１３を前倒しした後、納台２１を図２に示すように前側へ引き寄せる。次にその状態で、骨壺Ｃを前側壁１３の内面上を滑らせて納台２１近くまで移動させ、当該納台２１上へ乗り移らせる。そして、納台２１を骨壺Ｃごと後ろ側へ押し込む。
【００３３】
納台２１上の骨壺Ｃを外へ出す場合には、前側壁１３を前倒しした後、納台２１を骨壺Ｃごと前側へ引き寄せる。次にその状態で、骨壺Ｃを前側壁１３の内面上を滑らせて外側へ取り出す。
【００３４】
このように、納台２１が水平移動可能とされているとともに、前側壁１３が前倒れ扉方式とされ内面を水平に保持できるので、骨壷Ｃの納骨堂１０への収容および当該納骨堂１０からの取り出しを一段と簡単に行える。
【００３５】
上記構成の墓１の場合、納骨堂１０が地上に設置されているので雨水等が溜まりにくい。また、納骨堂１０を形成する前側壁１３全体が開閉できるので、骨壺Ｃを水平移動させて納骨堂１０へ円滑に収容できる。また、納骨堂１０内の骨壺Ｃを水平移動させて円滑に取り出せる。このように、骨壺Ｃを下ろしたり持ち上げたりすることなく納骨堂１０へ収容したり取り出したりできるので、女性であっても骨壺Ｃの納骨堂１０への収容および取り出しを簡単に行える。したがって、納骨堂１０を湿度の少ない環境に維持しつつ、骨壺Ｃの納骨堂１０への収容および取り出しを簡単かつ安全に行える。
【００３６】
また、前側壁１３が前倒れ扉方式とされているので、当該前側壁１３に回動するだけの力を加えれば当該壁１３の開閉を行える。特に、前側壁１３を開放する場合には、当該壁１３の重さを利用してわずかな力で前倒しできる。したがって、納骨堂１０を湿度の少ない環境に維持しつつ、骨壺Ｃの納骨堂１０への収容および取り出しを一段と簡単かつ安全に行える。
【００３７】
また、蓋体１７が軽量で着脱可能とされているので、墓参りにきた者が、蓋体１７を簡単に取り外し、納骨堂１０内の骨壺Ｃを見ながら直接骨壺Ｃ内のお骨（魂）に供養の言葉等を語りかけることができる。
【００３８】
さらに、左右側壁（１１，１２）に換気口（２８Ｌ，２８Ｒ）が設けられているので、納骨堂１０内を湿度の少ない環境に一段と確実に維持できる。
【００３９】
なお、この実施形態では、前側壁１３を前倒れ扉方式としたが、これに限定されるものではなく、例えば図５〜図８に示すように、当該前側壁１３が左右の案内ガイド２４によって支持・案内されて納骨堂１０上部の水平収容部２５へ収容可能かつ当該水平収容部２５から引き出して閉鎖位置（図５中に示す位置）に位置決め保持可能なスライド扉方式としてもよい。
【００４０】
かかる構成により、前側壁１３を水平収容部２５へ収容するまでおよび当該水平収容部２５から引き出して閉鎖位置に位置決め保持させるまでのいずれの場合も、当該壁１３は左右の案内ガイド２４によって支持されつつ案内される。そのため、小さな力で前側壁１３を動かして開閉できる。したがって、納骨堂１０を湿度の少ない環境に維持しつつ、骨壺Ｃの納骨堂１０への収容および取り出しを一段と簡単かつ安全に行える。なお、水平収容部２５は、納骨堂１０の上部に設けられているので、骨壷Ｃの収容・取り出しに支障を来たすことはない。
【００４１】
また、上記実施形態では、換気口を左右側壁（１１，１２）に設けたが、それ以外の箇所にも設けてもよい。例えば、蓋体１７に換気口を設けてもよい。すなわち、図９〜図１３に示すように、蓋体１７に換気口としての貫通穴１８を二つ設けるとともに、当該蓋体１７を覆って当該貫通穴１８に雨水が入るのを阻止する被覆体３１を設ける。蓋体１７の両貫通穴１８間には、図５および図１１に示すように、蝋燭立て用の穴１８ａが開けられている。
【００４２】
ここでは、被覆体３１は、蓋体１７と協働して香炉を形成するものとされている。すなわち、蓋体１７上には、線香皿４１や仏鈴４２が置かれる。また、被覆体３１の内空間３１ａに、墓参りに必要な雑具（墓標等を掃除するための雑巾、線香、蝋燭、マッチ、ライター等）を収容する収容部（図示省略）を設けてもよい。
【００４３】
詳しくは、被覆体３１は、石製とされており、左右側壁（３２Ｌ，３２Ｒ）、前後側壁（３３Ｆ，３３Ｒ）および天井部材３４から形成されている。前側壁３３Ｆは開閉可能とされている。具体的には、前側壁３３Ｆは、左右の案内ガイド（３５Ｌ，３５Ｒ）によって支持・案内されて当該被覆体３１の内空間３１ａ上部の水平収容部３６へ収容可能かつ当該水平収容部３６から引き出して閉鎖位置（図１０に示す起立位置）に位置決め保持可能なスライド扉方式とされている。前側壁３３Ｆは、図１２（Ａ），（Ｂ）に示すように、板状とされており、通気と装飾を兼ねる開口部３３ｂが多数設けられている。また、前側壁３３Ｆの底部には、手を掛けるための切欠き部３３ａが形成されている。切欠き部３３ａは、被覆体３１内に入った雨水を外へ排出する排出口の機能も有する。
【００４４】
かかる構成により、前側壁３３Ｆを持ち上げて水平収容部３６へ収容するまでおよび当該水平収容部３６から引き出して閉鎖位置に位置決め保持させるまでのいずれの場合も、当該壁３３Ｆは左右の案内ガイド（３５Ｌ，３５Ｒ）によって支持されつつ案内される。そのため、小さな力で前側壁３３Ｆを動かして開閉できる。なお、水平収容部３６は、被覆体３１の内空間３１ａの上部に設けられているので、線香皿４１や仏鈴４２や蝋燭立て４３等を設置したり片付けたりするのに支障を来たすことはない。
【００４５】
上記したように、蓋体１７にも換気口（１８）を設けることにより、納骨堂１０内を湿度の少ない環境に一層確実に維持できる。なお、蓋体１７は被覆体３１によって覆われているので、当該蓋体１７の換気口（１８）から雨水が入るようなことはなく、この点からも納骨堂１０内は湿度の少ない環境に保持される。
【００４６】
また、被覆体３１の前側壁３３Ｆがスライド扉方式とされているので、小さな力で当該壁３３Ｆを動かして被覆体３１を開閉できる。なお、前側壁３３Ｆは引き戸方式ではないので、当該前側壁３３Ｆの左右に当該壁３３Ｆの収容スペースを確保する必要がない。そのため、被覆体３１の左右のスペースを広く取る必要がなく、小型の墓にも本発明を適用可能である。図９では、墓の設置スペースに余裕があるので、被覆体３１の左右に広いスペースが取られているが、当該スペースを花を飾る場所（花立て）として丸々使用することが可能となる。
【００４７】
また、被覆体３１が香炉を兼ねるので、小スペースでも格調の高い墓を提供できる。被覆体３１によって覆われるので、蝋燭立て４３にセットされた蝋燭の火が消えない。また、線香皿４１内の火のついた線香が風で飛んで火事になるような事態が起こるのを防止できる。
【００４８】
【発明の効果】
請求項１の発明によれば、納骨堂が地上に設けられ、当該納骨堂を形成する前側壁全体が骨壷の出入口として開閉可能に形成され、納骨堂内に前後方向に移動可能な納台が設けられているので、納骨堂を湿度の少ない環境に維持しつつ、骨壺の納骨堂への収容および取り出しを簡単に行える。
【００４９】
請求項２の発明によれば、前側壁が前倒れ扉方式とされているので、納骨堂を湿度の少ない環境に維持しつつ、骨壺の納骨堂への収容および取り出しを一段と簡単かつ安全に行える。
【００５０】
請求項３の発明によれば、前側壁がスライド扉方式とされているので、納骨堂を湿度の少ない環境に維持しつつ、骨壺の納骨堂への収容および取り出しを一段と簡単かつ安全に行える。
【００５１】
請求項４の発明によれば、蓋体が軽量で着脱可能とされているので、請求項１，２又は３記載の発明の場合と同様な効果を奏し得る他、墓参りにきた者が蓋体を簡単に取り外すことができ、納骨堂内の骨壷を見ながら直接骨壺内のお骨（魂）に供養の言葉等を語りかけることができる。
【００５２】
請求項５の発明によれば、左右側壁に換気口を設けたので、請求項１から４までのいずれか１項の発明の場合と同様な効果を奏し得る他、納骨堂内を湿度の少ない環境に一段と確実に維持できる。
【００５３】
請求項６の発明によれば、蓋体に換気口を設けるとともに、当該蓋体を覆う被覆体を設けたので、請求項１から５までのいずれか１項の発明の場合と同様な効果を奏し得る他、納骨堂内を湿度の少ない環境に一層確実に維持できる。なお、蓋体は被覆体によって覆われているので、当該蓋体の換気口から雨水が入るようなことはなく、この点からも納骨堂内は湿度の少ない環境に保持される。
【００５４】
請求項７の発明によれば、被覆体が開閉可能な前側壁を有し、当該前側壁がスライド扉方式とされているので、請求項６の発明の場合と同様な効果を奏し得る他、小さな力で前側壁を動かして開閉できる。
【００５５】
請求項８の発明によれば、被覆体が香炉を兼ねるので、請求項６又は７の発明の場合と同様な効果を奏し得る他、小スペースでも格調の高い墓を提供できる。
【図面の簡単な説明】
【図１】本発明の全体構成を説明するための側断面図である。
【図２】骨壺収容を説明するための側断面図である。
【図３】納骨堂の構成を説明するための斜視図である。
【図４】前側壁とその周辺部分を示す斜視図である。
【図５】スライド扉方式の前側壁を説明するための図である。
【図６】前側壁のスライド動作を説明するための図である。
【図７】前側壁を水平収容部へ収容した状態を示す図である。
【図８】スライド扉方式の納骨堂の構成を説明するための斜視図である。
【図９】被覆体を説明するための正面図である。
【図１０】図１０中Ｘ１−Ｘ１線による縦断面図である。
【図１１】被覆体の天井部材を除いた状態の平面図である。
【図１２】被覆体の前側壁を説明するための図である。
【図１３】被覆体の案内ガイドを説明するための斜視図である。
【符号の説明】
１  墓
３  拝石
４  台石
５  下台
１０  納骨堂
１１  左側壁
１２  右側壁
１３  前側壁
１４  後側壁
１５  納骨堂柱
１６  取っ手
１７  蓋体
１８  貫通穴
１９  溝
２１  納台
２２  指引っ掛け部
２３  係止部材
２４  案内ガイド
２５  水平収容部
２７  蓋体支持部
２８Ｌ，２８Ｒ  換気口
３１  被覆体
３２Ｌ  左側壁
３２Ｒ  右側壁
３３Ｆ  前側壁
３３Ｒ  後側壁
３４  天井部材
３５Ｌ，３５Ｒ  案内ガイド
３６  水平収容部
４１  線香皿
４２  仏鈴
４３  蝋燭立て
Ｓ  地面
Ｓ１  地面露出部
Ｃ  骨壺
【図１】
2004324315.tif 000003
【図２】
2004324315.tif 000004
【図３】
2004324315.tif 000005
【図４】
2004324315.tif 000006
【図５】
2004324315.tif 000007
【図６】
2004324315.tif 000008
【図７】
2004324315.tif 000009
【図８】
2004324315.tif 000010
【図９】
2004324315.tif 000011
【図１０】
2004324315.tif 000012
【図１１】
2004324315.tif 000013
【図１２】
2004324315.tif 000014
【図１３】
2004324315.tif 000015